(57)【要約】      （修正有）【課題】設置場所の制約を少なくして、室内空間や間取りの可変性を高め、ライフスタイルの変化や様々なニーズに対応できる洗練された室内環境を実現できる間仕切り構造を提供する。【解決手段】間仕切り構造１、２は、複数のパネル部材をコ字状に組み合わせてなり、第１のパネル部材１０、第２のパネル部材２０及び第３のパネル部材３０を含む。第２のパネル部材２０は第１のパネル部材１０の一方の側端１０１に設けられている。第３のパネル部材３０は第１のパネル部材の他方の側端１０２に設けられている。そして、第２のパネル部材の幅方向の長さと、第３のパネル部材の幅方向の長さとが互いに異なっている。【選択図】図１
0003221164.tif 000002
【実用新案登録請求の範囲】
【請求項１】
複数のパネル部材をコ字状に組み合わせてなる間仕切り構造であって、
第１のパネル部材と、
該第１のパネル部材の一方の側端に設けられた第２のパネル部材と、
上記第１のパネル部材の他方の側端に設けられた第３のパネル部材と、を含み、
上記第２のパネル部材の幅方向の長さと、上記第３のパネル部材の幅方向の長さとが互いに異なっている、間仕切り構造。
【請求項２】
上記第１のパネル部材の幅方向の長さは、上記第２のパネル部材及び上記第３のパネル部材の幅方向の長さよりも長い、請求項１に記載の間仕切り構造。
【請求項３】
上記第１のパネル部材、上記第２のパネル部材及び上記第３のパネル部材は、上記間仕切り構造が設置された室内の天井との間に空間部が形成されるように構成されている、請求項１又は２に記載の間仕切り構造。
【請求項４】
上記第１のパネル部材と上記第２のパネル部材、及び上記第１のパネル部材と上記第３のパネル部材はそれぞれ、柱状の接続部材を介して互いに接続されている、請求項１〜３のいずれか一項に記載の間仕切り構造。
【請求項５】
上記接続部材は、上記間仕切り構造が設置された室内の天井との間に空間部が形成されるように構成されている、請求項４に記載の間仕切り構造。
【請求項６】
上記第１のパネル部材は複数の板材が高さ方向に配列してなり、該複数の板材の少なくとも一つは貫通形成された開口部を有する、請求項１〜５のいずれか一項に記載の間仕切り構造。
【請求項７】
上記第１のパネル部材は複数の板材が高さ方向に配列してなり、高さ方向に隣接する上記板材が互いに離間してなる隙間部が形成されている、請求項１〜５のいずれか一項に記載の間仕切り構造。
【請求項８】
上記第１のパネル部材、上記第２のパネル部材及び上記第３のパネル部材の少なくとも一つには、化粧板が着脱可能に取り付けられている、請求項１〜７のいずれか一項に記載の間仕切り構造。
【請求項９】
上記第１のパネル部材、上記第２のパネル部材及び上記第３のパネル部材の少なくとも一つと上記化粧板との間には磁石を含む固定部材が設けられており、上記化粧板は該固定部材を介して着脱可能に取り付けられている、請求項８に記載の間仕切り構造。
【考案の詳細な説明】
【技術分野】
【０００１】
本考案は、間仕切り構造に関する。
【背景技術】
【０００２】
従来、部屋の間仕切りとして種々の構成が提案されている。特に近年、中古マンション等のリノベーションが注目されており、既往の部屋を個々のニーズに適した、より洗練された空間とすることが求められている。既往の室内に天井から床に亘る柱や壁を造作により設けて所望の空間や間取りを形成することが考えられるが、この場合、空間や間取りの可変性が乏しく、ライフスタイルの変化や様々なニーズに対応することが難しい。
【０００３】
これに対して、例えば、特許文献１には、移動可能な収納家具を部屋の間仕切りとしても利用可能に構成した構成が開示されている。かかる構成によれば、部屋に設置した収納家具を必要に応じて所望の位置に移動させて室内を仕切ることにより、室内空間や間取りの可変性を高めている。
【先行技術文献】
【特許文献】
【０００４】
【特許文献１】特開２０１８−５１２５８号公報
【考案の概要】
【考案が解決しようとする課題】
【０００５】
しかしながら、特許文献１に開示の構成では、収納家具自体の設置が必須となるために設置場所の制約が大きく、室内空間や間取りの可変性を高めるには改善の余地がある。一方、オフィスなどでは、複数のパネルを接続して組み合わせたパーティションがよく見られる。かかるパーティションによれば、室内の空間を仕切ることはできるが、様々なニーズに適した洗練された空間とするには十分ではない。
【０００６】
本考案は、かかる背景に鑑みてなされたもので、設置場所の制約を少なくして、室内空間や間取りの可変性を高め、ライフスタイルの変化や様々なニーズに対応できる洗練された室内環境を実現できる間仕切り構造を提供しようとするものである。
【課題を解決するための手段】
【０００７】
本考案の一態様は、複数のパネル部材をコ字状に組み合わせてなる間仕切り構造であって、
第１のパネル部材と、
該第１のパネル部材の一方の側端に設けられた第２のパネル部材と、
上記第１のパネル部材の他方の側端に設けられた第３のパネル部材と、を含み、
上記第２のパネル部材の幅方向の長さと、上記第３のパネル部材の幅方向の長さとが互いに異なっている、間仕切り構造にある。
【考案の効果】
【０００８】
本考案の間仕切り構造によれば、複数のパネル部材を組み合わせてコ字状をなしているとともに、第１のパネル部材の一方の側端に設けられた第２のパネル部材の幅方向の長さが、第１のパネル部材の他方の側端に設けられた第３のパネル部材の幅方向の長さと異なっている。すなわち、上記間仕切り構造では、コ字状の壁において対向する壁である一対の袖壁の一方は他方よりも幅が短くなっている。これにより、当該間仕切り構造を室内に設置して区画されて形成された空間は、幅の短い袖壁によって、空間の閉塞感が低減されるとともに当該空間への出入りなどがしやすくなり、洗練された室内環境を実現できる。そして、収納家具を間仕切りとして使用する場合と比べて、収納家具を設置することを必須としないため、設置場所の制約も少ない。そのため、当該間仕切り構造を複数組み合わせて使用することも容易となる。そして、当該間仕切り構造を複数組み合わせて使用すれば、各間仕切り構造において袖壁の幅が異なるため、様々な形状の空間を呈することができる。これにより、室内空間や間取りの可変性を一層高め、ライフスタイルの変化や様々なニーズに対応できる室内環境を実現することができる。
【０００９】
以上のごとく、本考案によれば、設置場所の制約を少なくして、室内空間や間取りの可変性を高め、ライフスタイルの変化や様々なニーズに対応できる洗練された室内環境を実現できる間仕切り構造を提供することができる。
【図面の簡単な説明】
【００１０】
【図１】実施形態１における、間仕切り構造の斜視図。
【図２】実施形態１における、間仕切り構造の（ａ）正面図、（ｂ）背面図、（ｃ）左側面図、（ｄ）右側面図、（ｅ）平面図、（ｆ）底面図。
【図３】実施形態１における、他の間仕切り構造の（ａ）正面図、（ｂ）背面図、（ｃ）左側面図、（ｄ）右側面図、（ｅ）平面図、（ｆ）底面図。
【図４】実施形態１における、（ａ）接続部材の正面図、（ｂ）接続部材の背面図、（ｃ）接続部材の第１側面図、（ｄ）接続部材の第２側面図、（ｅ）カバーの正面図。
【図５】図２（ｃ）におけるV-V線位置断面一部拡大図。
【図６】（ａ）実施形態１における間仕切り構造の配置を示す概念図、（ｂ）〜（ｆ）変形形態における間仕切り構造の配置を示す概念図。
【図７】（ａ）〜（ｅ）変形形態における、間仕切り構造の他の配置を示す概念図。
【図８】実施形態１における、間仕切り構造の配置を示す斜視概念図。
【図９】実施形態１における、間仕切り構造の他の配置を示す斜視概念図。
【図１０】（ａ）変形形態における間仕切り構造の正面図、（ｂ）同背面図、（ｃ）他の変形形態における間仕切り構造の正面図、（ｄ）同背面図。
【図１１】実施形態２における、間仕切り構造の斜視図。
【図１２】実施形態２における、化粧板の取付態様を説明する概念図。
【図１３】実施形態２における、化粧板の取付態様を説明する断面一部拡大概念図。
【図１４】実施形態２における、（ａ）第１のパネル部材の正面図、（ｂ）化粧板の背面図。
【図１５】変形形態における、化粧板の取付態様を説明する断面一部拡大概念図。
【考案を実施するための形態】
【００１１】
上記第１のパネル部材の幅方向の長さは、上記第２のパネル部材及び上記第３のパネル部材の幅方向の長さよりも長いことが好ましい。この場合、間仕切り構造により区画される空間を比較的大きく確保することができるため、当該空間を種々の利用形態に適用しやすくなる。
【００１２】
上記第１のパネル部材、上記第２のパネル部材及び上記第３のパネル部材は、上記間仕切り構造が設置された室内の天井との間に空間部が形成されるように構成されていることが好ましい。この場合は、間仕切り構造により区画された空間における閉塞感を緩和することができるとともに、間仕切り構造が設置された室内において圧迫感を低減することができるため、比較的狭い部屋で使用する場合でも使用感を向上させることができる。また、間仕切り構造と天井との間の空間部を介して間仕切り構造により区画された空間内に外部から明かりや空気を取り込みやすくなるため、間仕切り構造により区画された空間内に別途照明器具や空調設備を別途設けなくてよく、使い勝手がよい。
【００１３】
上記第１のパネル部材と上記第２のパネル部材、及び上記第１のパネル部材と上記第３のパネル部材はそれぞれ、柱状の接続部材を介して互いに接続されていることが好ましい。この場合は、各パネル部材の接続を容易にして組立作業性が向上する。また、間仕切り構造の形状安定性を高めることができる。
【００１４】
上記接続部材は、上記間仕切り構造が設置された室内の天井との間に空間部が形成されるように構成されていることが好ましい。この場合は、間仕切り構造により区画された空間における閉塞感を緩和することができるとともに、間仕切り構造が設置された室内において圧迫感を低減することができるため、比較的狭い部屋で使用する場合でも使用感を向上させることができる。
【００１５】
上記第１のパネル部材は複数の板材が高さ方向に配列してなり、該複数の板材の少なくとも一つは貫通形成された開口部を有するようにすることができる。この場合は、第１のパネル部材に開口部を形成する位置や形状を容易に変更することができ、様々なニーズに適した室内環境を容易に実現することができる。また、部品の共通化を図ることができ、製造コストの低減を図ることができる。
【００１６】
上記第１のパネル部材は複数の板材が高さ方向に配列してなり、高さ方向に隣接する上記板材が互いに離間してなる隙間部が形成されているようにすることができる。この場合は、板材により視線を適度に遮ってプライバシーを確保しつつ、当該隙間部によって明かりを取り入れたり、空気の流れを促したりすることができる。
【００１７】
上記第１のパネル部材、上記第２のパネル部材及び上記第３のパネル部材の少なくとも一つには、化粧板が着脱可能に取り付けられていることが好ましい。この場合は、ニーズに応じて化粧板を変更できるため、一層洗練された室内環境を実現できる。さらに、化粧板の再利用が容易となり、使用に際してコストの低減を図ることができる。
【００１８】
上記第１のパネル部材、上記第２のパネル部材及び上記第３のパネル部材の少なくとも一つと上記化粧板との間には磁石を含む固定部材が設けられており、上記化粧板は該固定部材を介して着脱可能に取り付けられていることが好ましい。この場合は、固定部材に含まれた磁力によって、化粧板を容易に着脱することができるため、化粧板の取り付けや変更をする際の作業性がよい。
【実施例】
【００１９】
（実施形態１）
上記間仕切り構造の実施形態について、図１〜図８を用いて説明する。
図１に示すように、本実施形態の間仕切り構造１、２は、複数のパネル部材１０、２０、３０をコ字状に組み合わせてなる。
間仕切り構造１、２は第１のパネル部材１０、第２のパネル部材２０及び第３のパネル部材３０を含む。
第２のパネル部材２０は第１のパネル部材１０の一方の側端１０１に設けられている。
第３のパネル部材３０は第１のパネル部材１０の他方の側端１０２に設けられている。
そして、図２（ｃ）及び図３（ｄ）に示すように、第２のパネル部材２０の幅方向の長さＷ２と、第３のパネル部材３０の幅方向の長さＷ３とが互いに異なっている。
【００２０】
以下、本実施形態の間仕切り構造１、２について、詳述する。
本実施形態では、図１に示すように、２つの間仕切り構造１、２を組み合わせて使用している。図２、図３に示すように、それぞれの間仕切り構造１、２は基本的な構成は同様となっている。以下、間仕切り構造１について詳述し、間仕切り構造２についてはこれと異なる構成について説明し、共通する構成の説明は省略する。
【００２１】
図１に示すように、間仕切り構造１は、第１のパネル部材１０、第２のパネル部材２０及び第３のパネル部材３０の３つのパネル部材を有する。第１のパネル部材１０は２つの第１の板材１１と２つの第２の板材１２を有する。本実施形態では、各板材１１、１２はいずれも幅Ｗ１は１２００ｍｍとなっており、高さ方向Ｙの高さはそれぞれ５００ｍｍとなっている。そして、複数の板材１１、１２のうち、第２の板材１２には貫通されてなる開口部１２１が形成されている。第１の板材１１には開口部は形成されていない。第１のパネル部材１０は、高さ方向Ｙの下から順に第１の板材１１、第２の板材１２、第２の板材１２、第１の板材１１の順に配列されており、合計の高さが２０００ｍｍとなっている。
【００２２】
間仕切り構造１において、第２のパネル部材２０は第１のパネル部材１０の側端１０１に設けられ、第３のパネル部材３０は第１のパネル部材１０の側端１０２に設けられてそれぞれ間仕切り構造１の袖壁を構成している。図２（ａ）、（ｃ）に示すように第２のパネル部材２０の幅Ｗ２は６００ｍｍとなっており、第３のパネル部材３０の幅Ｗ３は９００ｍｍとなっている。なお、間仕切り構造２では、図３（ａ）、（ｃ）に示すように、第２のパネル部材２０は第１のパネル部材１０の側端１０２に設けられ、第３のパネル部材３０は第１のパネル部材１０の側端１０１に設けられており、第２のパネル部材２０の幅Ｗ２は３００ｍｍとなっており、第３のパネル部材３０の幅Ｗ３は６００ｍｍとなっている。
【００２３】
各板材１１、１２及びパネル部材２０、３０の構成は周知の構成を採用することができ、材質は木製、アルミニウム製などとすることができる。本実施形態では、図示しないが、木製の枠体とその両面にベニヤ板を貼り付けるとともに、内部に断熱材を設け、表面を化粧シートで被覆している。
【００２４】
図１に示すように、第１のパネル部材１０（板材１１、１２）、第２のパネル部材２０及び第３のパネル部材３０は一対の柱状の接続部材４０、５０により互いに接続されている。
【００２５】
図４（ａ）に示すように、接続部材４０（５０）において、第１のパネル部材１０の側端１０１（１０２）に対向する対向面４１（５１）には、複数のネジ穴４１１（５１１）が設けられている。複数のネジ穴４１１（５１１）は５０ｍｍの間隔で高さ方向Ｙに沿って形成されている。なお、本実施形態では、接続部材４０（５０）の上端から２５０ｍｍの範囲にはネジ穴４１１（５１１）は設けられていない。図４（ｂ）に示すように、複数のネジ穴４１１（５１１）は対向面４１（５１）と反対側の側面４２（５２）まで貫通している。なお、図４（ｂ）に示すように、側面４２（５２）には、接続部材４０（５０）の上端から下端に亘って溝４２１（５２１）が設けられている。
【００２６】
また、図４（ｃ）に示すように、接続部材４０（５０）において、第２のパネル部材２０の側端２０１（第３のパネル部材３０の側端３０１）に対向する対向面４３（５３）には、複数のネジ穴４３１（５３１）が設けられている。複数のネジ穴４３１（５３１）は上側、中央、下側の３か所において、ネジ穴４１１（５１１）と干渉しない位置に形成されている。図４（ｄ）に示すように、複数のネジ穴４３１（５３１）は対向面４３（５３）と反対側の側面４４（５４）まで貫通している。なお、図４（ｄ）に示すように、側面４４（５４）には、接続部材４０（５０）の上端から下端に亘って溝４４１（５４１）が設けられている。
【００２７】
図５に示すように、接続部材４０は、ネジ穴４１１と第１のパネル部材１０の側端１０１に設けられた鬼目ナット４７を介してネジ４６により第１のパネル部材１０に取り付けられている。また、接続部材４０は、ネジ穴４３１と第２のパネル部材２０の側端２０１に設けられた鬼目ナット４９を介してネジ４８により第２のパネル部材２０に取り付けられている。これにより、接続部材４０を介して第１のパネル部材１０と第２のパネル部材２０とが接続される。なお、溝４２１、４４１には図４（ｅ）に示すカバー４５がはめ込まれて、図５に示すようにネジ穴４１１、４３１の目隠しが行われている。また、接続部材４０の上端には当該上端を覆う上端カバー４０１が設けられている。
【００２８】
また、図５に示すように、接続部材５０は、ネジ穴５１１と第１のパネル部材１０の側端１０２に設けられた鬼目ナット５７を介してネジ５６により第１のパネル部材１０に取り付けられている。また、接続部材５０は、ネジ穴５３１と第３のパネル部材３０の側端３０１に設けられた鬼目ナット５９を介してネジ５８により第３のパネル部材３０に取り付けられている。これにより、接続部材４０を介して第１のパネル部材１０と第３のパネル部材３０とが接続される。なお、溝５２１、５４１には図４（ｅ）に示すカバー４５がはめ込まれて、図５に示すようにネジ穴５１１、５３１の目隠しが行われている。また、接続部材５０の上端には当該上端を覆う上端カバー５０１が設けられている。以上のようにして、接続部材４０、５０を介して第１のパネル部材１０、第２のパネル部材２０及び第３のパネル部材３０が接続されて、図１に示すように、コ字状をなす間仕切り構造１が形成される。
【００２９】
次に、本実施形態の間仕切り構造１、２の使用態様について、図６〜図８を用いて説明する。
図６（ａ）に示すように、本実施形態の間仕切り構造１、２は、間仕切り構造１における第２のパネル部材２０の側端２０２と、間仕切り構造２における第３のパネル部材３０の側端３０２とが互いに対向するとともに、間仕切り構造１における第３のパネル部材３０の側端３０２と、間仕切り構造２における第２のパネル部材２０の側端２０２とが互いに対向するように配置されている。これにより、間仕切り構造１、２におけるコの字の内側同士が対向して、間仕切り構造１、２に囲まれた空間Ａが形成されている。
【００３０】
図６（ａ）に示すように、間仕切り構造１における第２のパネル部材２０の側端２０２と、間仕切り構造２における第３のパネル部材３０の側端３０２とは離間して両者の間は開放されており、その幅Ｄ１は６００ｍｍとなっている。同様に、間仕切り構造１における第３のパネル部材３０の側端３０２と、間仕切り構造２における第２のパネル部材２０の側端２０２とは離間して両者の間は開放されており、その幅Ｄ２も６００ｍｍとなっている。
【００３１】
図８に示すように、間仕切り構造１、２は、室内６００に設置される。そして、間仕切り構造１、２の各パネル部材１０〜３０及び接続部材４０、５０の上端は室内６００の天井６０１と接しておらず、間仕切り構造１、２と天井６０１との間に空間部Ｐが形成されている。
【００３２】
次に、本実施形態の間仕切り構造１、２における作用効果について、詳述する。
本実施形態の間仕切り構造１、２によれば、複数のパネル部材１０〜３０を組み合わせてコ字状をなしているとともに、第１のパネル部材１０の一方の側端２０１に設けられた第２のパネル部材２０の幅Ｗ２と、第１のパネル部材１０の他方の側端１０２に設けられた第３のパネル部材３０の幅Ｗ３とが異なっている。すなわち、間仕切り構造１、２では、コ字状の壁において対向する壁である一対の袖壁の一方は他方よりも幅が短くなっている。これにより、間仕切り構造１、２を室内６００に設置して区画されて形成された空間Ａは、幅の短い袖壁である第２のパネル部材２０によって、空間Ａの閉塞感が低減されるとともに空間Ａへの出入りなどがしやすくなり、洗練された室内環境を実現できる。そして、収納家具を間仕切りとして使用する場合と比べて、収納家具を設置することを必須としないため、設置場所の制約も少ない。そのため、間仕切り構造１、２を組み合わせて使用することも容易となる。そして、間仕切り構造１、２を組み合わせて使用することにより、各間仕切り構造１、２において袖壁の幅が異なるため、様々な形状の空間を呈することができる。これにより、室内空間や間取りの可変性を一層高め、ライフスタイルの変化や様々なニーズに対応できる室内環境を実現することができる。
【００３３】
また、本実施形態では、第１のパネル部材１０の幅Ｗ１は、第２のパネル部材２０及び第３のパネル部材３０の幅Ｗ２、Ｗ３よりも長い。これにより、間仕切り構造１、２により区画される空間Ａを比較的大きく確保することができるため、空間Ａを種々の利用形態に適用しやすくなる。
【００３４】
また、本実施形態では、第１のパネル部材１０、第２のパネル部材２０及び第３のパネル部材３０は、間仕切り構造１、２が設置された室内６００の天井６０１との間に空間部Ｐが形成されるように構成されている。これにより、間仕切り構造１、２により区画された空間Ａにおける閉塞感を緩和することができるとともに、間仕切り構造１、２が設置された室内６００において圧迫感を低減することができる。そのため、比較的狭い部屋で使用する場合でも使用感を向上させることができる。また、間仕切り構造１、２と天井６０１との間の空間部Ｐを介して空間Ａ内に室内６００に設けられた照明器具６０２から明かりを取り込んだり、空間Ａ内に空気が流れやすくなるため、照明器具や空調設備を別途設けなくてよく、使い勝手がよい。
【００３５】
また、本実施形態では、第１のパネル部材１０と第２のパネル部材２０、及び第１のパネル部材１０と第３のパネル部材３０はそれぞれ、柱状の接続部材４０、５０を介して互いに接続されている。これにより、各パネル部材１０〜３０の接続を容易にして組立作業性が向上する。また、間仕切り構造１、２の形状安定性を高めることができる。
【００３６】
また、本実施形態では、接続部材４０、５０は、間仕切り構造１、２が設置された室内６００の天井６０１との間に空間部Ｐが形成されるように構成されている。これにより、間仕切り構造１、２により区画された空間Ａにおける閉塞感を緩和することができるとともに、間仕切り構造１、２が設置された室内６００において圧迫感を低減することができるため、比較的狭い部屋で使用する場合でも使用感を向上させることができる。
【００３７】
また、本実施形態では、第１のパネル部材１０は複数の板材１１、１２が高さ方向Ｙに配列してなり、複数の板材１１、１２のうち、板材１２は貫通形成された開口部１２１を有している。これにより、第１のパネル部材１０に開口部１２１を形成する位置や形状を容易に変更することができ、様々なニーズに対応した室内環境を容易に実現することができる。また、部品の共通化を図ることができ、製造コストの低減を図ることができる。なお、第１のパネル部材１０を構成するすべての板材が開口部１２１を有していてもよい。
【００３８】
なお、本実施形態では、図６（ａ）に示すように、間仕切り構造１における第３のパネル部材３０の側端３０２と、間仕切り構造２における第２のパネル部材２０の側端２０２とを離間させて配置した。これに替えて、図６（ｂ）に示すように、間仕切り構造１における第３のパネル部材３０の側端３０２と、間仕切り構造２における第２のパネル部材２０の側端２０２とが接するように配置し、両者の間が開放されないようにしてもよい。
【００３９】
また、図６（ｃ）に示すように、２つの間仕切り構造２を用いて、一方の間仕切り構造２が他方の間仕切り構造２と鏡面対象となるように、互いの袖壁（第２のパネル部材２０及び第３のパネル部材３０）を組み付けたものを用意して、第３のパネル部材３０の側端３０２同士を対向させるとともに両者を離間させ、第２のパネル部材２０の側端２０２同士を対向させるとともに両者を離間させて配置してもよい。この場合は、第３のパネル部材３０の側端３０２間の幅Ｄ２を６００ｍｍのままとしつつ、第２のパネル部材２０の側端２０２間の幅Ｄ１を９００ｍｍとすることができ、第２のパネル部材２０の側端２０２間を広く開放された状態とすることができる。
【００４０】
また、図６（ｄ）に示すように、上述の図６（ｃ）に示す配置において、第３のパネル部材３０の側端３０２同士を接するようにして、第３のパネル部材３０間が開放されないようにしてもよい。
【００４１】
また、図６（ｅ）に示すように、２つの間仕切り構造１を用いて、一方の間仕切り構造１が他方の間仕切り構造１と鏡面対象となるように、互いの袖壁（第２のパネル部材２０及び第３のパネル部材３０）を組み付けたものを用意して、第３のパネル部材３０の側端３０２同士を対向させるとともに両者を離間させ、第２のパネル部材２０の側端２０２同士を対向させるとともに両者を離間させて配置してもよい。この場合は、第３のパネル部材３０の側端３０２間の幅Ｄ１を６００ｍｍのままとしつつ、第２のパネル部材２０の側端２０２間の幅Ｄ２を９００ｍｍとすることができ、第２のパネル部材２０の側端２０２間を広く開放された状態とすることができる。
【００４２】
また、図６（ｆ）に示すように、上述の図６（ｅ）に示す配置において、第３のパネル部材３０の側端３０２同士を接するようにして、第３のパネル部材３０間が開放されないようにしてもよい。
【００４３】
また、図７（ａ）に示すように、一つの間仕切り構造２を室内の壁６０３に向けて配置して空間Ａを形成するようにしてもよい。同様に、図７（ｂ）に示すように、一つの間仕切り構造１を室内の壁６０３に向けて配置して空間Ａを形成するようにしてもよい。
【００４４】
また、図７（ｃ）に示すように、間仕切り構造１が他のパネル部材６１、６２を備えていてもよい。図７（ｃ）に示す変形形態では、他のパネル部材６１の一方の側端を接続部材６０を介して第１のパネル部材１０に接続して、他のパネル部材６１の他方の側端に接続部材４０を介して他のパネル部材６２を接続して、他のパネル部材６１、６２と第２のパネル部材２０とでコ字状となるように構成している。これにより、２つのコ字状が同じ側に開いた間仕切り構造とすることができる。
【００４５】
また、図７（ｄ）に示すように、他のパネル部材６１の一方の側端を接続部材６０を介して第２のパネル部材２０の側端２０２に接続して、他のパネル部材６１の他方の側端に他のパネル部材６２を設けて、他のパネル部材６１、６２と第２のパネル部材２０とがコ字状となるように構成している。これにより、２つのコ字状が逆側に開いた間仕切り構造とすることができる。
【００４６】
また、図７（ｅ）に示すように、接続部材４０に第２のパネル部材２０と反対側に他のパネル部材６２を接続し、接続部材５０に第３のパネル部材３０と反対側に他のパネル部材６３を接続して、他のパネル部材６２、６３と第２のパネル部材２０とでコ字状となるように構成してもよい。これにより、２つのコ字状が逆側に開いた間仕切り構造とすることができる。
【００４７】
以上のように、図６（ｂ）〜（ｆ）及び図７（ａ）〜（ｅ）に示す変形形態においても、本実施形態と同様の作用効果を奏することできる。
【００４８】
なお、図９に示すように、間仕切り構造１、２は、間仕切り構造１、２の揺れ、転倒、位置ズレなどを抑制して耐震性を高めるための耐震部材９０を備えていてもよい。耐震部材９０として、例えば、接続部材４０、５０と天井６０１との間に設けられて、間仕切り構造１、２を床６０４に付勢する付勢部材９１を採用することができる。付勢部材９１としては公知のものを採用でき、例えば、いわゆる突っ張り棒などを採用することができる。また、図９に示すように、耐震部材９０として、例えば、接続部材４０、５０と床６０４とに接合されて間仕切り構造１、２を床６０４に固定するＬ字部材９２を採用することができる。また、図示しないが、間仕切り構造１、２が室内６００の壁６０５に接した状態で配置されたり、壁６０５に近接した状態で配置されたりする場合には、Ｌ字部材９２を接続部材４０、５０と壁６０５とに接合して間仕切り構造１、２を壁６０５に固定するようにしてもよい。なお、耐震部材９０として、付勢部材９１及びＬ字部材９２の一方のみを設けることとしてもよい。
【００４９】
また、本実施形態では、図２に示すように、第１のパネル部材１０を同じ高さの複数の板材１１、１２により構成することとしたが、これに替えて、図１０（ａ）及び（ｂ）に示す変形形態のように、２つの板材１１と、これらと高さの異なる他の板材１３とにより第１のパネル部材１０を構成することとしてもよい。他の板材１３は、高さが９００ｍｍであって横長の開口部１５１を有する。そして、他の板材１３の上に一方の板材１１を配設するとともに隙間を設けて他方の板材１１を配設している。これにより、２つの板材１１の間に隙間部１９が形成されている。その他の構成について、実施形態１と同等の構成要素には同一の符号を付してその説明を省略する。
【００５０】
当該変形形態では、第１のパネル部材１０は複数の板材１１、１３が高さ方向Ｚに配列してなり、高さ方向Ｚに隣接する板材１１、１３が互いに離間してなる隙間部１９が形成されている。これにより、板材１１、１３により視線を適度に遮ってプライバシーを確保しつつ、隙間部１９によって明かりを取り入れたり、空気の流れを促したりすることができる。なお、図１０（ｃ）及び（ｄ）に示すように、中央の板材１１を設けずに、隙間部１９をより広く形成するようにしてもよい。
【００５１】
（実施形態２）
本実施形態の間仕切り構造３は、図１１に示すように、第１のパネル部材１０に化粧板７０が取り付けられている。化粧板７０の形態は特に限定されないが、本実施形態では、第１のパネル部材１０の上半分の領域を覆うように設けられている。また、本実施形態では、化粧板７０はケイカル板からなり意匠面側となる表側面に所定の凹凸形状を有する。基材７１の表側面は樹脂製の化粧シート７２が密着した状態で被覆されている。例えば、化粧シート７２を引き延ばしつつ基材７１の表側面及び側面を覆って裏側面に回り込ませて、減圧状態で化粧シート７２を基材７１の表側面の凹凸形状に倣って基材７１に密着させることにより、化粧シート７２を基材７１に取り付けることができる。
【００５２】
図１２に示すように、化粧板７０は固定部材８０により、第１のパネル部材１０を構成する板材１４に着脱可能に取り付けられている。板材１４は板材１１よりも高さ方向の大きいものとなっている。固定部材８０は、第１のパネル部材１０の表側面に設けられた磁石８１と、化粧板７０の裏側面に設けられた金属製のプレート８２とからなる。図１４（ａ）に示すように、磁石８１は第１のパネル部材１０の表側面において四隅の若干内側に設けられている。磁石８１は、マグファイン社製のキャップネオジム磁石丸型皿穴であって５．６８ｋｇｆの吸着力を有する。磁石８１は直径２２ｍｍ、厚さ５ｍｍの円盤状をなしており、中央に直径４．３ｍｍのビス穴が設けられている。磁石８１は当該ビス穴を介して第１のパネル部材１０の表側面にビス止めされている。
【００５３】
図１４（ｂ）に示すように、プレート８２も化粧板７０の裏側面において四隅の若干内側に設けられている。プレート８２は鉄製の板材からなる。プレート８２は、縦３０ｍｍ、横３０ｍｍ、厚さ５ｍｍの矩形の板状をなしており、中央に直径４．３ｍｍのビス穴が設けられている。プレート８２は当該ビス穴を介して化粧板７０の裏側面にビス止めされている。磁石８１とプレート８２とは、第１のパネル部材１０に化粧板７０を重ね合わせたときに互いに接する位置にある。
【００５４】
図１４（ａ）に示すように、第１のパネル部材１０の表側面において、隣り合う磁石８１の間にスペーサ８３が設けられている。スペーサ８３は厚さ７ｍｍの円盤状をなしており、第１のパネル部材１０の表側面に接着剤により固定されている。スペーサ８３の厚さはプレート８２の厚さとスペーサ８３の厚さの合計と同等であり、図１３（ｂ）に示すように、化粧板７０を第１のパネル部材１０に取り付けた状態で、スペーサ８３が化粧板７０の裏側面に当接している。
【００５５】
固定部材８０において、磁石８１、プレート８２及びスペーサ８３の大きさ、形状、位置、個数及び磁石８１の吸着力の強さは、化粧板７０の形状や重量などを考慮して適宜設定することができる。その他の構成要素は実施形態１の場合と同様であり、本実施形態においても実施形態１の場合と同一の符号を用いてその説明を省略する。
【００５６】
本実施形態の間仕切り構造３によれば、化粧板７０が取り付けられているため、見栄えが良くなるとともに、化粧板７０による音響効果を期待することもできる。そして、化粧板７０は着脱可能に取り付けられているため、使用者のニーズに応じて化粧板７０を別の形態のものに変更でき、一層洗練された室内環境を実現できる。さらに、化粧板７０の再利用が容易となり、使用に際してコストの低減を図ることができる。なお、本実施形態においても、実施形態１の場合と同様の作用効果を奏する。
【００５７】
また、本実施形態では、第１のパネル部材１０と化粧板７０との間には磁石８１を含む固定部材８０が設けられており、化粧板７０は固定部材８０を介して着脱可能に取り付けられている。これにより、固定部材８０が有する磁石８１の磁力によって、化粧板７０を容易に着脱することができるため、化粧板７０の取り付けや変更をする際の作業性がよい。
【００５８】
本実施形態では、第１のパネル部材１０に化粧板７０を設けることとしたが、これに替えて又はこれとともに第２のパネル部材２０及び第３のパネル部材３０の一方又は両方に化粧板７０を着脱可能に取り付けてもよい。
【００５９】
本実施形態では、図１３（ａ）及び（ｂ）に示すように、固定部材８０において磁石８１を第１のパネル部材１０に設けるとともにプレート８２を化粧板７０に設けたが、これに替えて、図１５（ａ）及び（ｂ）に示す変形形態のように、固定部材８０において磁石８１を化粧板７０に設けるとともにプレート８２を第１のパネル部材１０に設けてもよい。なお、図１３（ａ）及び（ｂ）に示すように、磁石８１を第１のパネル部材１０に設けるとともにプレート８２を化粧板７０に設けた方が、化粧板７０の荷姿が小さくでき、運搬時の安全性を確保しやすい。
【００６０】
本考案は上記各実施形態に限定されるものではなく、その要旨を逸脱しない範囲において種々の実施形態に適用することが可能である。
【符号の説明】
【００６１】
１、２、３  間仕切り構造
１０  第１のパネル部材
１２１  開口部
１９  隙間部
２０  第２のパネル部材
３０  第３のパネル部材
４０、５０  接続部材
７０  化粧板
８０  固定部材
８１  磁石
８２  プレート
【図１】
0003221164.tif 000003
【図２】
0003221164.tif 000004
【図３】
0003221164.tif 000005
【図４】
0003221164.tif 000006
【図５】
0003221164.tif 000007
【図６】
0003221164.tif 000008
【図７】
0003221164.tif 000009
【図８】
0003221164.tif 000010
【図９】
0003221164.tif 000011
【図１０】
0003221164.tif 000012
【図１１】
0003221164.tif 000013
【図１２】
0003221164.tif 000014
【図１３】
0003221164.tif 000015
【図１４】
0003221164.tif 000016
【図１５】
0003221164.tif 000017